(57)【要約】【課題】検体情報と位置情報とを容易に対応付けることができる検体ラックを提供する。【解決手段】検体ラック２は、検体情報を記憶するＩＣタグを有する複数の検体容器を収容する収容部４を備え、各収容部４には、検体ラック２内における位置を示す位置番号が付されている。また、各収容部４の底部には、該収容部４の位置番号を位置情報として記憶しているＩＣタグリーダ６が配置されている。検体ラック２においては、収容部４に検体情報を記憶するＩＣタグを有する検体容器が収容された場合に、収容された検体容器が有するＩＣタグに記憶されている検体情報を、ＩＣタグリーダ６において読み取り、位置情報と併せて記憶する。【選択図】  図１
2004271299.tif 000002
【特許請求の範囲】
【請求項１】
検体情報を記憶するＩＣタグを有する複数の検体容器を収容する検体ラックであって、
前記検体ラックの各収容部に、該検体ラック上における位置情報が記憶されたＩＣタグリーダを備えることを特徴とする検体ラック。
【請求項２】
前記ＩＣタグリーダは、
該ＩＣタグリーダに対して電力を供給するバッテリと、
前記バッテリによる電力供給を制御する電力制御部と
を備えることを特徴とする請求項１記載の検体ラック。
【請求項３】
前記ＩＣタグリーダは、前記ＩＣタグから読み取った検体情報を記憶する記憶部を備えることを特徴とする請求項１又は請求項２記載の検体ラック。
【請求項４】
検体情報を記憶するＩＣタグを有する検体容器と、
前記検体容器を収容する複数の収容部を備え、該収容部の各々に該収容部の検体ラック内における位置情報が記憶されているＩＣタグリーダを備える検体ラックと、
前記ＩＣタグに記憶されている検体情報及び前記ＩＣタグリーダに記憶されている位置情報を検体位置確認情報として取得する検体位置確認情報取得手段と、
前記検体位置確認情報取得手段により取得された検体位置確認情報を記憶する検体位置確認情報記憶手段と
を備えることを特徴とする検体位置確認システム。
【請求項５】
前記ＩＣタグリーダは、
該ＩＣタグリーダに対して電力を供給するバッテリと、
前記バッテリによる電力供給を制御する電力制御部と
を備えることを特徴とする請求項４記載の検体位置確認システム。
【請求項６】
前記ＩＣタグリーダは、前記ＩＣタグから読み取った情報を記憶する記憶部を備えることを特徴とする請求項４又は請求項５記載の検体位置確認システム。
【発明の詳細な説明】
【０００１】
【発明の属する技術分野】
この発明は、検体容器が有するＩＣタグに記憶された検体情報を読み取るＩＣタグリーダを備えた検体ラック及び該検体ラックを用いた検体位置確認システムに関するものである。
【０００２】
【従来の技術】
従来、血液、血漿、血清等の検体は、医療機関等において採取され、試験管等の検体容器に収容されて検査機関に搬送される。検査機関においては、搬入された検体について受付処理を行った後に、検体を検体ラックに収容して保管している。即ち、まず、受付処理、例えば、検査機関に搬送された検体を収容した検体容器に、検体を識別するための検体番号、受付日等を含む検体情報を記載したラベル等の貼り付け等が行わる。次に、受付処理が行われた検体は、検体ラックに収容され、例えば、検体ラックの収容部の位置番号とその検体ラックに保管されている検体の検体情報等を対応させることによって検体の検査や検体の保管等の管理が行われる（例えば、特許文献１参照）。
【０００３】
検体ラックに保管されている検体は、検査、再検査又は廃棄を指示された場合には、検体ラックから抜き取られ、検査、再検査又は廃棄が行われる。また、検査が終了し、再検査等に備えて保管を指示された場合には、検体ラックに差し込まれ保管される。なお、検体ラックから検体を抜き取る際に、抜き取りを指示された検体か否かの確認は、ラベルに記載されている検体番号等の目視により行われている。また、検体を差し込む際に、検体を差し込む検体ラックの収容部の確認は、検体ラックの収容部の位置番号を目視することにより行われている。
【０００４】
【特許文献１】
特開平８−２８５８５５号公報
【０００５】
【発明が解決しようとする課題】
上述のように検体は、検査、再検査又は廃棄を指示された場合には、指示に基づいて検体ラックから抜き取られて検査、再検査又は廃棄が行われるため、検体ラック内における検体の位置が適切に把握されている必要がある。しかし、従来は、検体に付されている検体情報と検体が収容された検体ラックの位置情報とを、検体ラックに検体を収容する毎に作業員が確認して、パーソナルコンピュータ等に入力して検体ラック内における検体の位置を管理していた。そのため、検体を検体ラックに収容する処理に多大な労力を必要としていた。また、検体の抜取指示が出された場合、検体ラック内における検体の位置を確認し、該当する検体を目視で確認して抜き取っているため、本来抜き取るべき検体と異なる検体を抜き取ってしまうという抜き取りミスが生じる場合もある。
【０００６】
この発明の課題は、検体情報と位置情報とを容易に対応付けることができる検体ラック、及び該検体ラックを用いて検体ラックに収容されている検体を識別すると共に該検体の検体ラック内における位置を確認できる検体位置確認システムを提供することである。
【０００７】
【課題を解決するための手段】
請求項１記載の検体ラックは、検体情報を記憶するＩＣタグを有する複数の検体容器を収容する検体ラックであって、前記検体ラックの各収容部に、該検体ラック上における位置情報が記憶されたＩＣタグリーダを備えることを特徴とする。
【０００８】
この請求項１記載の検体ラックによれば、検体ラックの収容部に位置情報が記憶されたＩＣタグリーダを備えている。従って、収容部に収容された検体を識別するための検体情報を、該収容部に配置されたＩＣタグリーダにおいて読み取ることにより、検体情報と位置情報とを容易に対応させることができる。
【０００９】
また、請求項２記載の検体ラックは、前記ＩＣタグリーダが、該ＩＣタグリーダに対して電力を供給するバッテリと、前記バッテリによる電力供給を制御する電力制御部とを備えることを特徴とする。
【００１０】
この請求項２記載の検体ラックによれば、ＩＣタグリーダが電源制御部を備えているため、例えば、読取指示を受けた時にのみＩＣタグに記憶されている検体情報を読み取るようにすることができる。従って、ＩＣタグリーダにおける電力消費を低減することによりバッテリを小型化して、ＩＣタグリーダを容易に小型化し、検体ラックの各収容部に配置することができる。
【００１１】
また、請求項３記載の検体ラックは、前記ＩＣタグリーダが、前記ＩＣタグから読み取った検体情報を記憶する記憶部を備えることを特徴とする。この請求項３記載の検体ラックによれば、ＩＣタグリーダにおいて記憶部を備えているため、ＩＣタグから読み取られた検体情報と位置情報とを確実に対応させることができる。
【００１２】
また、請求項４記載の検体位置確認システムは、検体情報を記憶するＩＣタグを有する検体容器と、前記検体容器を収容する複数の収容部を備え、該収容部の各々に該収容部の検体ラック内における位置情報が記憶されているＩＣタグリーダを備える検体ラックと、前記ＩＣタグに記憶されている検体情報及び前記ＩＣタグリーダに記憶されている位置情報を検体位置確認情報として取得する検体位置確認情報取得手段と、前記検体位置確認情報取得手段により取得された検体位置確認情報を記憶する検体位置確認情報記憶手段とを備えることを特徴とする。
【００１３】
この請求項４記載の検体位置確認システムによれば、ＩＣタグに記憶されている検体情報とＩＣタグリーダに記憶されている位置情報とを対応付けた検体位置確認情報を記憶している。従って、どの検体が検体ラック内のどの収容部に収容されているかを容易、かつ、的確に管理することができ、検体の抜き取りミス等を適切に防止することができる。
【００１４】
また、請求項５記載の検体位置確認システムは、前記ＩＣタグリーダが、該ＩＣタグリーダに対して電力を供給するバッテリと、前記バッテリによる電力供給を制御する電力制御部とを備えることを特徴とする。
【００１５】
この請求項５記載の検体位置確認システムによれば、ＩＣタグリーダにおける電力消費を低減してバッテリを小型化し、ＩＣタグリーダを容易に小型化することができるため、ＩＣタグリーダを検体ラックの各収容部の底部に配置することができる。
【００１６】
また、請求項６記載の検体位置確認システムは、前記ＩＣタグリーダが、前記ＩＣタグから読み取った情報を記憶する記憶部を備えることを特徴とする。この請求項６記載の検体位置確認システムによれば、ＩＣタグリーダにおいて検体情報及び位置情報を記憶することができるため、検体ラック単位で収容されている検体と該検体の検体ラック内における位置を把握することができる。
【００１７】
【発明の実施の形態】
以下、図面を参照して、実施の形態に係る検体ラック及び該検体ラックを用いた検体位置確認システムについて説明する。なお、以下においては、血液、血漿、血清等の検体を収容している検体容器の検体ラック上における位置を確認する場合を例として説明する。
【００１８】
図１は、この発明の実施の形態に係る検体ラックを説明するための図である。検体ラック２は、図１に示すように検体を収容した検体容器を収容する複数の収容部４が設けられている。この検体ラック２には、左から右方向に１０個の収容部４を有する列が前方から後方に５列設けられており、合計５０個の収容部４が設けられている。
【００１９】
また、図１に示すように、検体ラック２の各収容部４には、位置番号が付されている。即ち、検体ラック２の奥側から１列目の収容部４には、左から右方向に「０１」、「０２」、「０３」、…と位置番号が付されており、検体ラック２の奥側から２列目の収容部４には、左から右方向に「１１」、「１２」、「１３」、…と位置番号が付されている。また、検体ラック２の奥側から３列目、４列目、５列目の収容部４にも、同様に位置番号が付されている。
【００２０】
また、検体ラック２の各収容部４の底部には、図１に示すように、円板状であって、収容部４の底部に配置可能な小型のＩＣタグリーダ６が配置されている。このＩＣタグリーダ６には、該ＩＣタグリーダ６が配置されている収容部４に付されている位置番号が記憶されている。
【００２１】
図２は、収容部４の底部に配置されているＩＣタグリーダ６の一例を示す図である。ＩＣタグリーダ６は、ＩＣチップ１０及びアンテナ１２を備えている。ＩＣチップ１０及びアンテナ１２は、ＩＣタグリーダ６を形成する素材の内部に設けられている。ここで、ＩＣタグリーダ６を形成する素材は、検体ラック２を形成する素材と同様の素材、例えば、ポリエステル等の素材により形成されている。
【００２２】
図３は、検体ラック２が備えるＩＣタグリーダ６のブロック構成図である。ＩＣタグリーダ６は、上述のように、ＩＣチップ１０及びアンテナ１２を備えている。ＩＣチップ１０は、ＩＣチップ１０におけるデータの処理を制御するデータ制御部１１を備えている。このデータ制御部１１には、アンテナ１２を介してＩＣタグから読み取られた検体情報及びＩＣタグリーダ６が配置されている収容部４の位置情報（位置番号）等を記憶するデータ記憶部１４が接続されている。また、データ制御部１１には、バッテリ１６及び振動センサ１８が接続されている。
【００２３】
振動センサ１８は、ＩＣタグリーダ６に電力を供給するバッテリ１６の起動を制御しており、電力制御部として機能する。即ち、ＩＣタグリーダ６に所定の振動が加えられたことが振動センサ１８により感知された場合には、バッテリ１６が起動してデータ制御部１１に対して電力が供給され、ＩＣタグリーダ６が作動を開始する。ＩＣタグリーダ６が作動を開始した場合には、アンテナ１２を介して、該ＩＣタグリーダ６が配置されている収容部４に収容された検体容器内のＩＣタグに対して電力が供給され、ＩＣタグに記憶されている検体情報の読み取りが行われる。即ち、電力の供給を受けたＩＣタグにおいては、記憶されている検体情報をＩＣタグリーダ６に対して送信するため、ＩＣタグリーダ６においてＩＣタグに記憶されている検体情報を読み取ることができる。なお、バッテリ１６が起動してから所定の時間が経過した場合には、データ制御部１１に対する電力の供給が自動的に停止され、ＩＣタグリーダ６の作動が停止される。
【００２４】
図４は、検体ラック２に収容される検体容器２０を示す図である。この検体容器２０は、一端が閉じ他端に開口部を有する円筒状の収容部２２を有しており、収容部２２内にＩＣタグ２４が収容されている。このＩＣタグ２４には、検体を識別するための検体情報、例えば、検体番号、受付日、患者氏名等を含む情報が記憶されている。
【００２５】
ここで、ＩＣタグ２４としては、非接触で情報の読み取りが可能なもの、例えば、ＲＦＩＤ（Ｒａｄｉｏ  Ｆｒｅｑｕｅｎｃｙ  Ｉｄｅｎｔｉｆｉｃａｔｉｏｎ）タグ等が用いられる。また、ＩＣタグ２４を有する検体容器２０が収容された収容部４の底部に配置されているＩＣタグリーダ６に対してのみ検体情報の送信を行うべく、例えば、通信距離が最大でも数ｍｍ程度の静電結合方式のＩＣタグや、通信距離が最大でも数ｃｍ程度の電磁誘導方式のＩＣタグが用いられる。また、このＩＣタグ２４としては、フィルム状等、ごく薄い形状のものであって、検体容器２０内に検体と共に収容することが可能な程度の大きさのＩＣタグ、例えば、微細なものとしては０．４ｍｍ×０．４ｍｍ程度の大きさのＩＣタグが用いられる。なお、このように微細なＩＣタグに用いることができるＩＣチップとして、紙幣や株券等の有価証券に漉き込むことができるＩＣチップが存在する（特開２００１−２６０５８０号公報参照）。また、ＩＣタグ２４は、検体の性状に影響を与えない素材、例えば、ポリエステル、ポリエチレン、ポリプロピレン、ＰＥＴ（ｐｏｌｙｅｔｈｙｌｅｎｅ  ｔｅｒｅｐｈｔｈａｌａｔｅ）等の素材によりコーティングされている。
【００２６】
図５は、この発明の実施の形態に係る検体ラックを用いた検体位置確認システムのブロック構成図である。検体位置確認システム３０は、医療機関において採取された検体の検査を行う検査機関等に設置されている。この検体位置確認システム３０は、検体の位置の確認等の処理を行うパーソナルコンピュータ（ＰＣ）３２を備えており、このＰＣ３２には、据置型のＩＣタグリーダ／ライタ（据置型ＩＣタグＲ／Ｗ）３４が接続されている。
【００２７】
据置型ＩＣタグＲ／Ｗ３４は、図示しないアンテナを介して送信される電波の届く範囲に検体ラック２が配置された場合に、検体ラック２の各収容部４の底部に配置されている複数のＩＣタグリーダ６に記憶されている検体情報及び位置情報を読み取り、読み取った検体情報と位置情報とを対応させ、検体位置確認情報としてＰＣ３２に送信する。
【００２８】
ここで、検体位置確認情報は、検体情報と位置情報とが対応付けられた情報である。即ち、検体容器に収容されたＩＣタグ２４に記憶されている検体情報が、該検体容器が収容された検体ラック２の収容部４の底部に配置されているＩＣタグリーダ６により読み取られ、この読み取られた検体情報とＩＣタグリーダ６により記憶されている位置情報とが対応付けられた情報となっている。そのため、この検体位置確認情報により、検体ラック２内のどの収容部４にどの検体が収容されているかを確認し、検体ラック２に収容されている検体を管理することができる。
【００２９】
ＰＣ３２は、図５に示すように、ＰＣ３２におけるデータの処理を制御するデータ制御部４０を備えている。このデータ制御部４０には、据置型ＩＣタグＲ／Ｗ３４及び検体の受付処理や検査の管理等を行う基幹システム（図示せず）との間の通信を制御する通信制御部４２が接続されている。また、データ制御部４０には、据置型ＩＣタグＲ／Ｗ３４を介して読み取られた検体位置確認情報を記憶するデータ記憶部４４及び通信制御部４２を介して受信した基幹システムからの指示等を表示する表示部４６が接続されている。
【００３０】
次に、検査機関に搬入された検体を保管する際に、実施の形態に係る検体位置確認システムによる検体ラックに収容されている検体及び該検体の検体ラック内における位置を確認する処理について説明する。
【００３１】
まず、検体が収容された検体容器２０が検査機関に搬入される。搬入の際には、検体容器２０の収容部２２に検体と共に収容されているＩＣタグ２４に、該検体の検体情報（検体番号、受付日等）が記憶されている。
【００３２】
次に、搬入された検体容器２０を、検体ラック２の任意の収容部４に挿入することによって検体ラック２に収容する。そして、各収容部４に検体容器２０を収容した検体ラック２を、例えば、左右に振動させる等により、検体ラック２に所定の振動を加える。この時、検体ラック２に加えられた振動をＩＣタグリーダ６の振動センサ１８が感知することにより、バッテリ１６が起動してデータ制御部１１に対する電力の供給が開始される。電力の供給が開始されることにより作動を開始したＩＣタグリーダ６は、アンテナ１２を介してＩＣタグ２４に対して電波を送信する。即ち、各収容部４の底部に配置されているＩＣタグリーダ６から、該収容部４に収容されている検体容器２０内のＩＣタグ２４に対して電波が送信される。
【００３３】
ＩＣタグ２４においては、ＩＣタグリーダ６から送信された電波により電力伝送を受ける。例えば、ＩＣタグ２４として電磁誘導方式のＲＦＩＤタグを用いている場合には、ＩＣタグ２４のアンテナ及びＩＣタグリーダ６のアンテナ１２としてコイルを用い、２つのコイルの誘導電束による誘起電圧を利用してＩＣタグ２４において発電する。そして、発電することにより起動したＩＣタグ２４から、該ＩＣタグ２４を有する検体容器２０が収容されている収容部４の底部に配置されているＩＣタグリーダ６に対して検体情報が送信される。
【００３４】
ＩＣタグリーダ６においては、送信された検体情報をアンテナ１２を介して受信し、受信した検体情報をデータ記憶部１４に記憶する。なお、各収容部４の底部に配置されている全てのＩＣタグリーダ６において、上述の処理が行われ、各収容部４に収容された検体容器２０に収容されている検体の検体情報が、各ＩＣタグリーダ６のデータ記憶部１４に記憶される。
【００３５】
なお、検体の採取が行われる医療機関等から検体を集荷する際に、検体ラック２を用いるようにしてもよい。即ち、採取された検体を収容した検体容器２０を、医療機関等から集荷する際に検体ラック２に収容し、集荷時点において検体情報と位置情報とを対応付けるようにしてもよい。
【００３６】
次に、据置型ＩＣタグＲ／Ｗ３４が備えるアンテナからの電波が届く範囲に、検体容器２０を収容した検体ラック２を配置する。据置型ＩＣタグＲ／Ｗ３４においては、検体ラック２の各収容部４の底部に配置されている各ＩＣタグリーダ６に記憶されている検体情報及び位置情報を読み取り、読み取った検体情報及び位置情報を対応させ、検体位置確認情報としてＰＣ３２に送信する。
【００３７】
ＰＣ３２においては、据置型ＩＣタグＲ／Ｗ３４により読み取られた検体位置確認情報を通信制御部４２を介して受信し、受信された検体位置確認情報がデータ記憶部４４に記憶される。従って、検体ラック２に収容されている検体を把握することができると共に、該検体の検体ラック２内における位置を把握することができる。
【００３８】
次に、検査、再検査等のために検体ラックに収容されている検体の抜き取りが行われた場合等においては、図６のフローチャートに示すように、抜き取られた検体を確認する処理が行われる。
【００３９】
まず、検査の管理等を行う基幹システムから送信された検体の抜取指示を通信制御部４２を介して受信する（ステップＳ１０）。即ち、検体ラック２からの抜き取りを指示された検体の検体情報を受信する。なお、受信された抜取指示は、データ記憶部４４に記憶される。
【００４０】
次に、受信した抜取指示を表示部４６に表示する（ステップＳ１１）。即ち、データ記憶部４４に記憶されている検体位置確認情報に基づいて、抜き取りが指示された検体の検体情報と、検体情報に対応させて該検体が収容されている検体ラック２における収容部４の位置情報とを表示部４６に表示する。
【００４１】
ここで、作業者は、まず、表示部４６に表示されている抜取指示に基づいて、所定の検体容器２０を検体ラック２から抜き取る。次に、所定の検体容器２０が抜き取られた検体ラック２を左右に振動させる等により、検体ラック２に所定の振動を与える。検体ラック２においては、与えられた振動を各収容部４の底部に配置されている各ＩＣタグリーダ６が備える振動センサ１８において感知し、バッテリ１６を起動させて各ＩＣタグリーダ６を作動させる。
【００４２】
ＩＣタグリーダ６においては、該ＩＣタグリーダ６が配置されている収容部４に収容された検体容器２０内のＩＣタグ２４に記憶されている検体情報を読み取り、読み取られた検体情報をデータ記憶部１４に記憶する。
【００４３】
次に、据置型ＩＣタグＲ／Ｗ３４から送信される電波が届く範囲に検体ラック２を配置する。据置型ＩＣタグＲ／Ｗ３４においては、各ＩＣタグリーダ６のデータ記憶部１４に記憶されている検体情報及び位置情報を読み取り、読み取られた検体情報と位置情報とを対応付け、検体位置確認情報としてＰＣ３２に対して送信する。
【００４４】
なお、据置型ＩＣタグＲ／Ｗ３４において、検体容器２０が抜き取られた収容部４の底部に配置されているＩＣタグリーダ６からは、位置情報のみが読み取られる。ここで、位置情報のみが読み取られた場合には、位置情報に対応付ける検体情報が存在しないため、読み取られた位置情報は検体情報と対応させることができずＰＣ３２に対して送信されない。従って、ＰＣ３２に対しては、検体ラック２の収容部４に収容されている検体の検体位置確認情報のみが送信される。
【００４５】
ＰＣ３２においては、据置型ＩＣタグＲ／Ｗ３４から送信された検体位置確認情報を、通信制御部４２を介して受信する（ステップＳ１２）。即ち、抜取指示に基づいて、検体が抜き取られた後の検体ラック２に収容されている検体及び該検体の検体ラック２内における位置を示す検体位置確認情報を受信する。
【００４６】
次に、抜き取りを指示された検体が検体ラック２から抜き取られたことの確認を行う（ステップＳ１３）。即ち、まず、データ記憶部４４に記憶されている抜き取りが行われる前の検体位置確認情報と、抜き取りが行われた後の検体位置確認情報とを比較することにより、抜き取られた検体及び抜き取られた検体が収容されていた検体ラック２内における位置を確認する。次に、データ記憶部４４に記憶されている抜取指示と、抜き取りが確認された検体の検体情報とを照合することにより、指示された検体が抜き取られているか否かの確認を行う。
【００４７】
検体の抜き取りに誤りがある場合には（ステップＳ１４）、表示部４６に検体の抜き取りに誤りがある旨の警告を表示する（ステップＳ１５）。即ち、抜き取りが確認された検体の検体情報と、抜取指示が出されている検体情報とが照合不一致になった場合には、検体の抜き取りに誤りがあることが確認される。従って、この場合には、照合不一致となった検体の検体位置確認情報と共に、検体の抜き取りに誤りがある旨の警告を表示部４６に表示する。
【００４８】
表示部４６に検体の抜き取りに誤りがある旨の警告が表示された場合には（ステップＳ１５）、抜取指示を確認して再度検体の抜き取りを行い、検体ラック２に所定の振動を与えた後に、据置型ＩＣタグＲ／Ｗ３４からの電波が届く範囲に検体ラック２を配置して、ステップＳ１２及びステップＳ１３の処理を行うことにより抜き取られた検体の確認を行う。
【００４９】
一方、抜き取りが確認された検体の検体情報と、抜取指示が出されている検体情報とが照合一致になった場合には（ステップＳ１４）、検体の抜き取りが正確に行われたことが確認されたため、処理を終了する。
【００５０】
この実施の形態に係る検体ラックによれば、検体情報を記憶したＩＣタグを有する検体容器を収容する収容部の底部に位置情報を記憶したＩＣタグリーダが配置されている。従って、検体ラックの収容部に検体容器を収容し、その場で検体情報と位置情報とを対応させることができるため、検体の受付処理における労力を大幅に軽減することができる。
【００５１】
また、検体ラックの収容部の底部に配置されたＩＣタグリーダにおいて検体情報を読み取っているため、検体ラックの収容部に検体容器を収容した時点において、検体ラックに収容された検体を識別することができる。また、検体情報と位置情報とを容易、かつ、的確に対応付けることができるため、検体の検体ラック内における位置を正確に把握することができる。そのため、検体ラックに収容された検体を適切に管理することができる。
【００５２】
また、上述の実施の形態に係る検体ラックによれば、ＩＣタグリーダは、所定の振動を加えられた場合に作動し、作動から所定時間経過後、自動的に作動を停止している。即ち、ＩＣタグリーダにおける電力消費を最低限に抑え、バッテリを小型化することによって、検体ラックの各収容部の底部に収容可能な大きさにＩＣタグリーダを小型化している。従って、検体ラックの各収容部の底部に位置情報を記憶しているＩＣタグリーダを配置し、検体情報を読み取って記憶することができる。そのため、一つの検体容器を検体ラックに収容する毎に、作業員が検体ラック内における位置に対応させて検体情報を入力することにより、検体情報と位置情報とを対応させる処理を経ることなく、検体ラック内の任意の収容部にそれぞれ検体容器を収容した後、検体ラック単位で検体情報と位置情報とを対応させることができる。
【００５３】
また、上述の実施の形態に係る検体位置確認システムによれば、ＩＣタグリーダにおいて、検体容器に収容されているＩＣタグから読み取られた検体情報と位置情報とを対応させた検体位置確認情報に基づいて、抜き取りを指示された検体が抜き取られているか否かを確認することができる。従って、指示された検体が抜き取られたことを確認して、検体の抜き取りミスを確実に防止することができる。
【００５４】
なお、上述の実施の形態に係る検体位置確認システムにおいては、検体ラックに所定の振動が加えられた場合にバッテリを起動させているが、所定時間毎にバッテリを起動させるようにしてもよい。即ち、振動センサに代えてタイマを設け、タイマによりバッテリを起動させるようにしてもよい。
【００５５】
また、振動センサに代えて磁界センサを設け、磁界センサにより所定の磁界が加えられたことが感知された場合に、バッテリを起動させるようにしてもよい。この場合には、検体容器を収容した検体ラックを所定の磁界中に配置することによって、検体ラックの収容部の底部に配置されているＩＣタグリーダを起動させ、該ＩＣタグリーダが配置されている収容部に収容されている検体容器が有するＩＣタグに記憶されている検体情報を読み取ることができる。
【００５６】
また、上述の実施の形態に係る検体ラックにおいては、検体ラックの収容部の底部にＩＣタグリーダを配置しているが、側壁面に配置するようにしてもよい。例えば、検体ラックをアルミニウム等の金属製にし、各収容部の側壁面にＩＣタグリーダを配置し、該収容部に収容された検体容器が有するＩＣタグとのみ通信を行うようにしてもよい。
【００５７】
また、上述の実施の形態に係る検体位置確認システムにおいては、検体容器の収容部に検体と共に検体情報を記憶したＩＣタグが収容されているが、検体容器の外壁にＩＣタグを貼り付けるようにしてもよい。
【００５８】
【発明の効果】
この発明の検体ラックによれば、検体ラックの収容部に位置情報が記憶されたＩＣタグリーダを備えている。従って、検体情報と位置情報とを検体ラックにおいて対応させることができるため、受付処理において必要とされる労力を大幅に軽減することができる。
【００５９】
また、この発明の検体位置確認システムによれば、ＩＣタグに記憶されている検体情報とＩＣタグリーダに記憶されている位置情報とを対応付けた検体位置確認情報を記憶している。従って、どの検体が検体ラック内のどの収容部に収容されているかを容易に確認し、検体の抜き取りミス等を適切に防止することができると共に、検体の管理及び保管を適切に行うことができる。
【図面の簡単な説明】
【図１】この発明の実施の形態に係る検体ラックを説明するための図である。
【図２】この発明の実施の形態に係るＩＣタグリーダを説明するための図である。
【図３】この発明の実施の形態に係るＩＣタグリーダのブロック構成図である。
【図４】この発明の実施の形態に係る検体容器を説明するための図である。
【図５】この発明の実施の形態に係る検体位置確認システムのブロック構成図である。
【図６】この発明の実施の形態に係る検体位置確認の処理を説明するためのフローチャートである。
【符号の説明】
２…検体ラック、４…収容部、６…ＩＣタグリーダ、１０…ＩＣチップ、１１…データ制御部、１２…アンテナ、１４…データ記憶部、１６…バッテリ、１８…振動センサ、２０…検体容器、２２…収容部、２４…ＩＣタグ、３０…検体位置確認システム、３２…ＰＣ、３４…据置型ＩＣタグＲ／Ｗ、４０…データ制御部、４２…通信制御部、４４…データ記憶部、４６…表示部。
【図１】
2004271299.tif 000003
【図２】
2004271299.tif 000004
【図３】
2004271299.tif 000005
【図４】
2004271299.tif 000006
【図５】
2004271299.tif 000007
【図６】
2004271299.tif 000008